(57)【要約】【課題】建物の出隅部分で、表面の意匠性は損なわず目地部を一定の幅とし、土台部から軒天部まで一定幅で一直線状のシーリング目地を形成することが可能な目地ジョイナーの施工構造を提供すること。【解決手段】建物の出隅部に施工される目地の施工構造において、躯体の柱と胴縁と平坦部と立設部とシーリング材を打設するための打設部を有する目地ジョイナーと２つの外壁材端部を出隅部の木口面の間に配設されることを特徴とする目地ジョイナーの施工構造で、外壁材端部は、直角に切断後、切断面と４５度の角度に切断された切断斜面部の面を持つことを特徴とし、目地ジョイナーの打設部は、出隅部の柱中心の対角線の一辺と略平行な打設面であり、前記立設部は、平坦部から立設する第１立設部とそれに連設される第２立設部とからなり、更に、前記打設部から屈曲して連設されるガイド片を有していることを特徴とする目地ジョイナーの施工構造である。【選択図】図１
0003132917.tif 000002
【実用新案登録請求の範囲】
【請求項１】
建物の出隅部に施工される目地ジョイナーの施工構造において、躯体の柱と胴縁と平坦部と立設部とシーリング材を打設するための打設部を有する目地ジョイナーと２つの外壁材端部を出隅部の木口面の間に配設されることを特徴とする目地ジョイナーの施工構造。
【請求項２】
前記外壁材端部は、直角に切断後、切断面と４５度の角度に切断された切断斜面部の面を持つことを特徴とする請求項１に記載の目地ジョイナーの施工構造。
【請求項３】
前記目地ジョイナーの打設部は、出隅部の柱の中心の対角線の一辺と略平行な打設面であり、前記立設部は、平坦部から立設する第１立設部とそれに連設される第２立設部とからなり、更に、前記打設部から屈曲して連設されるガイド片を有していることを特徴とする請求項２に記載の目地ジョイナーの施工構造。
【考案の詳細な説明】
【技術分野】
【０００１】
本考案は、外壁材の出隅部において、構造駆体に施工する目地ジョイナーの施工構造に関するものである。
【背景技術】
【０００２】
従来より、住宅の出隅構造としては、次のようなものがある。単に、角部に外壁材と外壁材を付き合わせ、その角部内面に金属製のＬ型ジョイナーを施す方法、出隅用として使用するため、２枚の外壁材を４５度にカットして突き合わせ、その突き合わせ部の隙間にシーリング材を埋め込んでＬ型ジョイナーを施す方法がある。また、出隅部を金属製の差し込み出隅を施し、差し込み出隅を形成し外壁材を差し込む方法がある。特開平８−２４６６５５の図５、図６、図７。（特許文献１）また最近は、外壁材を４５度にカットして接着剤で接合し、接合部を平らに面取りした面取部を塗装する同質出隅柱を使用する方法が一般的である。（特許文献２）
【０００３】
しかし、金属製のＬ型ジョイナーや差し込み出隅では、最近の高意匠の外壁材とでは、接合部分に違和感があり、同質出隅柱は、隣接する外壁材との間に、ハットジョイナーを施してシーリング材を縦に２カ所打設するので、そのシーリング面が左右の外壁面で目立ち、意匠性が損なわれてしまう。
【０００４】
また、こうしたシーリング施工する時、シーリング材を土台部から軒天部まで、目地幅を一定に保った一直線状のシーリング目地を形成するのが重要であるが、単純に外壁材の端部を４５度で切断した場合、外壁材の表面柄の凹凸によって目地幅が部位ごとに変動してしまい、意匠性が損なわれてしまう。そこで、角部の柱の３次元の傾斜（ねじれ）を読み、隣り合う外壁材の柄表面の位置を正確に割り出して、外壁材を切断する必要がある。しかし、施工の誤差が大きいと、不用意に目地幅が広くなって、意匠性を低下させてしまう不具合を回避することが出来ない。
【０００５】
本考案者は、この改善策として、出隅部にハットジョイナーを施して、一定幅で一直線状のシーリング目地を形成することを試行してみたが、柱の３次元の傾斜（ねじれ）により出隅部分のハットジョイナーが両側より釘で固定するので湾曲して、ひずみが出てしまい、一定幅で直線状のシーリング目地を形成するのが困難であった。更に、外壁材を正確に測定し切削するのは、かなりの熟練を要し表面柄の凹凸を考えるとこれも困難と云わざるを得ない。
【特許文献１】特開平８−２４６６５５公報
【特許文献２】特開平１１−２０７２２６公報
【考案の開示】
【考案が解決しようとする課題】
【０００６】
本考案者は、外壁材の出隅部分において、外観表面の意匠性を損なわないように目地部を一定の幅とし、土台部から軒天部まで一直線状にシーリング目地を形成するための目地ジョイナーの施工構造を提供することを目的としている。
【課題を解決するための手段】
【０００７】
上記の目的を達成するために、本請求項１に記載の考案は、建物の出隅部に施工される目地ジョイナーの施工構造において、躯体の柱と胴縁と平坦部と立設部とシーリング材を打設するための打設部を有する目地ジョイナーと２つの外壁材端部を出隅部の木口面の間に配設されることを特徴とする目地ジョイナーの施工構造であり、
本請求項２に記載の考案は、前記外壁材端部は、直角に切断後、切断面と４５度の角度に切断された切断斜面部の面を持つことを特徴とする請求項１に記載の目地ジョイナーの施工構造である。
本請求項３に記載の考案は、前記目地ジョイナーの打設部は、出隅部の柱の中心の対角線の一辺と略平行な打設面であり、前記立設部は、平坦部から立設する第１立設部とそれに連設される第２立設部とからなり、更に、前記打設部から屈曲して連設されるガイド片を有していることを特徴とする請求項２に記載の目地ジョイナーの施工構造である。
【考案の効果】
【０００８】
本考案の目地ジョイナーの施工構造を使用すれば、出隅部に形成される目地が一カ所だけとなるため、外観意匠上すっきりした形状の構造となる。また、胴縁を接合させた柱に沿って施工できるので、柱の微妙な角度に追従でき、シーリング材の打設面が柱の対角線と平行になって施工ができるので、常に、シーリング面と柱の微妙な角度が同一角度になる。更に、外壁材を切断する場合、ガイド片があるので、採寸しやすくなる。また、外壁材の裏面から柄部に掛からない木口部まで４５度に切断するので、シーリング幅は、柄の凹凸に左右されず上下に一定のため、一定の目地幅となり意匠性が向上する。更に、先端を切断しないので、先端にバリの発生がなく、木口の端部は柄の凹凸がハッキリ現れるので意匠性が向上する構造となる。
【考案を実施するための最良の形態】
【０００９】
以下、図面を参照しながら本考案について詳細に説明する。
図１は、本考案にかかる目地ジョイナーの施工構造を示す断面図である。
図２は、本考案にかかる目地ジョイナーの出隅部施工状態を示す断面図である。
図３は、端部が切断された外壁材を本考案にかかる目地ジョイナーを使って出隅部に施工する方法を示す説明図である。
図４は、図３に続く施工方法の説明図である。
図５は、目地ジョイナーを示す断面図である。
図６は、本考案にかかる目地ジョイナーの他の実施例を示す断面図である。
以下に、各部分の詳細な説明を示す。
【００１０】
（目地ジョイナー）
図１，図５に示すように、目地ジョイナー１は、平坦部１１と立設部１２とシーリング打設部１３とからなる。平坦部１１は、柱４や胴縁６（下地材）に当接させて固定する部分であり、柱４に沿って通常、釘や接着剤で固定する。立設部１２は、平坦部１１より垂直でも傾斜角があってよく、通気層が確保出来ればよい。その幅は、５〜１０ｍｍ程度あればよい。好ましくは、この立設部１２は、平坦面１１より垂直な部分の第１立設部１２ａと傾斜角度をそなえた第２立設部１２ｂがあり、更に好ましくは、第２立設部１２ｂは、外壁材の傾斜角４５度と同一であることが望ましい。（図５ｂ）
シーリング打設部１３は、シーリング材を打設するための下地となる部分であり、平坦であればよく、その平坦面をポリエチレン、ポリプロピレン、フッ素樹脂のシートで被覆すればよい。これは、シーリング材の３面接着を防ぐためである。詳しくは、特開２００２−８８９３５を参照のこと。この、シーリング打設面は、柱の対角線の一辺と略平行であることが望ましく、柱の微妙な傾斜に沿った角度を保つために必要である。図２の８,
８｀がその平行線を示す。目地ジョイナー１の材質については、金属製や樹脂製等でよく、特に限定されない。
好ましくは、シーリング打設部１３から更にのびるガイド片１４があるとガイド部として使用でき、外壁材切断の採寸を更にしやすくなるとともにシーリング打設部１３を補強部分することとなり、特に好ましい。（図５ｃ）
【００１１】
（外壁材）
本考案の対象とする外壁材は、木片、木質パルプ、木質繊維やパルプ等の木質補強材を添加したセメント板（木質セメント板）、セメント押出成形板、パルプセメント板、石膏板、ケイ酸カルシウム板、炭酸マグネシウム板、セメント板等である。
図３に示すように、この外壁材２の端部を採寸して直角に切断した後、更に、木口面２Ａを切断形成する。木口面２Ａは、裏面側２４から表の表面柄２１の切断面２２に向かって、４５度の角度で切断し、切断斜面２３となす。これにより、凹凸のある表面柄２１の切断面２２と凹凸のない切断斜面２３とに別れ、切断斜面２３は凹凸の影響を受けないので、シーリングの打設厚みは一定となる。外壁材の厚みにもよるが、６〜１４ｍｍ、好ましくは、８〜１２ｍｍが適当である。
凹凸がない切断斜面２３は、シーリング幅と高さは一定になる。切削木口面２Ａは、プライマーを塗布後、下塗り、中塗りの塗装が施され、切断面２２の部分は表面柄とほぼ同一の色彩の塗装の補修が施されることが望ましい。
【００１２】
（シーリング材）
シーリング材は、外壁材の端部の防水効果を発揮し、施工後の外壁材の伸縮の変化に追従し、切れや剥離などの密閉破壊が生じてはならない。
特に限定はされないが、変成シリコーン系、ポリサルファイド系、ポロウレタン系、アクリル系、ブチルゴム系があり、好ましくは、変成シリコーン系、ポリサルファイド系、ポリウレタン系といった弾性シーリング材が使用できる。
【００１３】
（実施例１）
図５に、目地ジョイナー１の形状例を示す。５ａ，５ｂ，５ｃはその具体例である。図２に、その目地ジョイナー１を出隅角部に施工した状態を示す。柱４に透湿防水シート５を当接し、追廻し施工して、胴縁６で角部の下地を施工した。この片側に沿って、目地ジョイナー１を釘で固定する。片側に沿って施工するので、柱４の微妙な角度に沿って施工される。
【００１４】
図３、図４に示すように、外壁材２の端部の木口面２Ａは、裏面側２４から、切断面２２に向かって４５度に切削して、切断面２２と切断斜面２３の目地部分とに別れ、切断斜面２３は厚みが一定となる。これを、目地ジョイナー１に沿わせて留付金具（図示せず）で固定する。
【００１５】
図４に示すように、もう一方の外壁材３の端部木口面３Ａを同様にして、裏面側３４から、切断面３２に向かって４５度に切削して、凹凸のある表面柄３１の切断面３２と凹凸のない切断斜面３３の目地部分とに別れ、切断斜面３３は厚みが一定となる。
この時、目地ジョイナー１のシーリング打設部１３は、柱の傾斜（ねじれ）に沿った角度になっているため、もう一方の外壁材３は、このシーリング打設部１３がガイドとなり柱の微妙な傾斜に沿って施工できることになる。その結果、シーリング打設部１３は、同じ幅でもって出隅部の土台部から軒天部まで施工することができる。
要するに、目地ジョイナー１のシーリング打設部１３は、シーリング材のガイド下地となり、また治具の働きをすることになる。
【００１６】
図１に示すように、出隅部に目地ジョイナー１と外壁材２、３の切断木口部を配設し、シーリング材７を打設している。シーリング面は、切断斜面２３、３３の厚みが一定となっているため、表面柄の２１、３１に左右されず厚みと幅が一定の一直線の出隅部の目地形状となる。また、外壁材２，３の厚みの切断面２２，３２が木口から見えるので立体的な出隅部意匠となる。図６は、目地ジョイナー１の他の実施例を示す。
【産業上の利用可能性】
【００１７】
従来の、金属ジョイナーを使用した出隅部や同質出隅柱を使用した場合と違い、一本の同一幅の出隅部の目地ラインが形成されるため、簡易な方法で、柱の微妙な傾斜にも追従でき、外壁材の木口の立体的表現も出来る意匠性に優れた出隅部施工外観が保たれる。
【図面の簡単な説明】
【００１８】
【図１】本考案にかかる目地ジョイナーの施工構造を示す断面図である。
【図２】本考案にかかる目地ジョイナーの出隅部施工状態を示す断面図である。
【図３】本考案にかかる目地ジョイナーを使用して出隅部に施工する方法を示す説明図である。
【図４】本考案にかかる目地ジョイナーを使用して出隅部に施工する方法を示す説明図である。
【図５】本考案にかかる目地ジョイナーの断面図である。
【図６】本考案にかかる目地ジョイナーの他の実施例を示す断面図である。以下に、各部分の詳細な説明を示す。
【符号の説明】
【００１９】
１    目地ジョイナー
１１    平坦部
１２    立設部
１２ａ  第１立設部
１２ｂ  第２立設部
１３    シーリング打設面
１４    ガイド片
２      外壁材
２Ａ    木口面
２１    表面柄
２２    切断面
２３    切断斜面
２４    裏面
３      外壁材
３Ａ    木口面
３１    表面柄
３２    切断面
３３    切断斜面
３４    裏面
４      柱
５      透湿防水シート
６      胴縁
７      シーリング材
８,８   平行線
【図１】
0003132917.tif 000003
【図２】
0003132917.tif 000004
【図３】
0003132917.tif 000005
【図４】
0003132917.tif 000006
【図５】
0003132917.tif 000007
【図６】
0003132917.tif 000008